(57)【特許請求の範囲】
【請求項１】
両端が回転可能に支持される巻取パイプ（１４）と、該巻取パイプ（１４）に一端側が連結されていると共にこれに巻取り及び巻解き可能なスクリーン（１６）とを備えるロールスクリーン（１０）の前記巻取パイプ（１４）内に内蔵されて、巻取パイプ（１４）をスクリーン巻取り方向に付勢するロールスクリーン用スプリング装置（２０）であって、
該ロールスクリーン用スプリング装置（２０）は、回転不可能に固定される固定端（２２）と、巻取パイプ（１４）と共に回転する回転端（２８）と、該固定端（２２）と回転端（２８）とに夫々端部が連結されるコイルスプリング（３０）と、前記固定端（２２）に一端が連結され巻取パイプ（１４）内を軸方向に伸びる心軸（２４）と、巻取パイプ（１４）内に固定され、該心軸（２４）の他端を軸支する軸受部（２６）と、を備えており、
前記コイルスプリング（３０）は心軸（２４）の回りに巻回されており、前記回転端（２８）は、前記固定端（２２）と前記軸受部（２６）との間において、前記巻取パイプの回転によるコイルスプリングの各巻きの外径の変化による前記コイルスプリング（３０）の心軸に沿った伸縮に伴って前記心軸（２４）に沿って前記巻取パイプ（１４）内を軸方向に摺動することを特徴とするロールスクリーン用スプリング装置。
【発明の詳細な説明】
【０００１】
【発明の属する技術分野】
本発明は、両端が回転可能に支持される巻取パイプと、該巻取パイプに一端側が連結されていると共にこれに巻取り及び巻解き可能なスクリーンとを備えるロールスクリーンの巻取パイプ内に内蔵されて、巻取パイプをスクリーン巻取り方向に付勢するロールスクリーン用スプリング装置に関する。
【０００２】
【従来の技術】
従来、この種のロールスクリーン用スプリング装置としては、図４に示したものがある。即ち、ロールスクリーン用スプリング装置は、巻取パイプ４０の両端を回転可能に支持するサイドプレートに固定される固定端４２と、該固定端４２に一端が連結され巻取パイプ４０内を軸方向に伸びる心軸４４と、巻取パイプ４０内にあって該心軸４４の他端を軸支する軸受部４６と、固定端４２と軸受部４６とにそれぞれ両端部が連結されるコイルスプリング４８と、を備えており、軸受部４６は、巻取パイプ４０内で巻取パイプ４０と共に回転するよう巻取パイプ４０に固定されている。
【０００３】
巻取パイプ４０がサイドプレートに対してスクリーンの巻解き方向に回転されると、軸受部４６が巻取パイプ４０と共に回転するのに対して固定端４２はサイドプレートに対して固定されているので、コイルスプリング４８はさらに巻かれて弾性力が蓄積されるようになっている。そして、例えば、スクリーンを所望の高さまで巻き解いた後、このコイルスプリング４８の弾性力に抗して巻取パイプ４０の回転を阻止するストッパーを動作させると、スクリーンが所望の高さで保持され、また、ストッパーを解除すると、コイルスプリング４８の蓄積された弾性力によって軸受部４６が回転し、これと共にスクリーンの巻取り方向に巻取パイプ４０が回転するようになっている。
【０００４】
【発明が解決しようとする課題】
しかしながら、かかる従来のロールスクリーン用スプリング装置にあっては、軸受部４６が回転して、コイルスプリング４８に弾性力が蓄積される状態になると、図４（ｂ）に示したように、コイルスプリング４８の各巻きの外径が小さくなりその分、自然長よりも全長が長くなるので、心軸４４を中心として波打った形状になる。この状態から巻取パイプ４０を回転させると、コイルスプリング４８の波打った部分の外径側が巻取パイプ４０、またはコイルスプリング４８を保護する保護体の内面あるいはコイルスプリング４８の波打った部分の内径側が心軸４４に接触して、衝突音を発生する、という課題があった。
【０００５】
本発明は、かかる課題に鑑みなされたもので、請求項１記載の発明は、コイルスプリングの弾性力が蓄積された状態にあるときに、コイルスプリングが波打つことのない、昇降時の作動音が静かなロールスクリーン用スプリング装置を提供することをその目的とする。
【０００６】
【課題を解決するための手段】
上記目的を達成するために、本発明のうち請求項１記載の発明は、両端が回転可能に支持される巻取パイプ（１４）と、該巻取パイプ（１４）に一端側が連結されていると共にこれに巻取り及び巻解き可能なスクリーン（１６）とを備えるロールスクリーン（１０）の前記巻取パイプ（１４）内に内蔵されて、巻取パイプ（１４）をスクリーン巻取り方向に付勢するロールスクリーン用スプリング装置（２０）であって、該ロールスクリーン用スプリング装置（２０）は、回転不可能に固定される固定端（２２）と、巻取パイプ（１４）と共に回転する回転端（２８）と、該固定端（２２）と回転端（２８）とに夫々端部が連結されるコイルスプリング（３０）と、前記固定端（２２）に一端が連結され巻取パイプ（１４）内を軸方向に伸びる心軸（２４）と、巻取パイプ（１４）内に固定され、該心軸（２４）の他端を軸支する軸受部（２６）と、を備えており、
前記コイルスプリング（３０）は心軸（２４）の回りに巻回されており、前記回転端（２８）は、前記固定端（２２）と前記軸受部（２６）との間において、前記巻取パイプの回転によるコイルスプリングの各巻きの外径の変化による前記コイルスプリング（３０）の心軸に沿った伸縮に伴って前記心軸（２４）に沿って前記巻取パイプ（１４）内を軸方向に摺動することを特徴とする。
【０００７】
コイルスプリングに弾性力が蓄積されて、その全長が長くなったときにも、コイルスプリングが心軸に沿ってその軸方向に伸縮することができ、これに伴って回転端がその分、心軸に沿って巻取パイプ内を移動してコイルスプリングの伸びを許容するので、コイルスプリングが波打つことを防止することができる。
【０００９】
【発明の実施の形態】
以下、図面を用いて本発明の実施の形態を説明する。図１は本発明に係るロールスクリーン用スプリング装置がロールスクリーンに装着した状態を示す一部断面図であり、図２はこのロールスクリーン用スプリング装置の動作を表す説明図である。
【００１０】
図において、ロールスクリーン１０は、窓枠等に直接的または間接的に固定されるサイドプレート１２にその両端が回転可能に支持される巻取パイプ１４と、巻取パイプ１４に一端側が連結されていると共にこれに巻取り及び巻解き可能なスクリーン１６と、スクリーン１６の他端側に設けられたウエイトバー１８と、を備えている。
【００１１】
巻取パイプ１４内には、一端側に図示しない公知のストッパー機構が配設され、他端側に本発明に係るロールスクリーン用スプリング装置２０が配設されている。
即ち、ロールスクリーン用スプリング装置２０は、前記サイドプレート１２に回転不能に固定される固定端２２と、該固定端２２に一端が連結され巻取パイプ１４内を軸方向に伸びる心軸２４と、巻取パイプ１４内に固定され該心軸２４の他端に取り付けられた受具２５を介して心軸２４を軸支する軸受部２６と、心軸２４の回りで該心軸２４上を摺動可能に配設される回転端であるところの移動環２８と、移動環２８と固定端２２とに夫々端部が連結され心軸２４の回りを巻回するコイルスプリング３０とを備えている。
【００１２】
図３に示すように、移動環２８には、巻取パイプ１４の内径方向に突出する複数のキー１４ａに嵌合するキー溝２８ａ、及び巻取パイプ１４の内周面に張り出されたスクリーン１６を連結するための連結部１４ｂに嵌合する溝２８ｂが形成されており、これによって、移動環２８は巻取パイプ１４と共に回転することができ、且つ巻取パイプ１４内を軸方向に移動することができるようになっている。心軸２４は固定端２２に固定されているので、移動環２８は心軸２４の回りを回転可能に摺動することができる。
【００１３】
コイルスプリング３０は、巻取パイプ１４がスクリーン１６を完全に巻上げることができる程度に、はじめからある程度の弾性力を与えるべく初巻きをかける必要があるが、このコイルスプリング３０に初巻きをかけた状態で、図２（ａ）に示したように、移動環２８は軸受部２６と固定端２２との間に位置づけられている。
【００１４】
この図２（ａ）の状態から、スクリーン１６を所望の高さにするために、スクリーン１６の巻解き方向に巻取パイプ１４を回転すると、巻取パイプ１４と共に移動環２８が回転するのに対して固定端２２は固定されているので、コイルスプリング３０がさらに巻かれて弾性力が蓄積されるようになっている。そして、このときに、コイルスプリング３０の各巻きの外径が小さくなりその分、自然長よりも全長が長くなるが、移動環２８が図中左方向に押されて巻取パイプ１４内及び心軸２４上を軸方向に移動するので、コイルスプリング３０が波打つことを防止できる。
【００１５】
そして、例えば、スクリーン１６を所望の高さまで巻き解いた後、このコイルスプリング３０の弾性力に抗して巻取パイプ１４の回転を阻止するストッパーを動作させると、スクリーン１６が所望の高さで保持され、また、ストッパーを解除すると、コイルスプリング３０の蓄積された弾性力によって移動環２８が回転し、これと共にスクリーン１６の巻取り方向に巻取パイプ１４が回転する。移動環２８は回転すると同時に巻取パイプ１４内及び心軸２４上を図中右方向に戻ることになる。このように、移動環２８は軸方向に移動するが、この移動方向は回転方向とは直交しているため、コイルスプリング３０によって巻取パイプ１４に付加されるトルクは従来のものと比較してほとんど低下することはない。
【００１６】
このように、コイルスプリング３０が波打つことが防止されるので、コイルスプリング３０が巻取パイプ１４の内面あるいは心軸２４に接触して衝突音の発生するのを防止することができる。
【００１７】
【発明の効果】
以上説明したように、本発明によれば、コイルスプリングの端部が連結される回転端が巻取パイプ内を軸方向に移動可能であることから、コイルスプリングに弾性力が蓄積されて、その全長が長くなったときにも、回転端がその分、巻取パイプ内を移動して、コイルスプリングの伸びを許容するので、コイルスプリングが波打つことを防止することができる。
【００１８】
また、固定端に一端が連結され巻取パイプ内を軸方向に伸びる心軸と、巻取パイプ内に固定され、該心軸を軸支する軸受部とをさらに備えており、前記コイルスプリングは心軸の回りに巻回されており、前記回転端は、心軸上を摺動可能に配設されることから、コイルスプリングが心軸に沿ってその軸方向に伸縮することができ、これに伴って回転端が心軸に沿って巻取パイプ内を軸方向に移動することができる。
【図面の簡単な説明】
【図１】本発明に係るロールスクリーン用スプリング装置がロールスクリーンに装着した状態を示す一部断面図である。
【図２】図１のロールスクリーン用スプリング装置の動作を表す説明図であり、（ａ）はコイルスプリングに弾性力が蓄積されていない状態を表し、（ｂ）はコイルスプリングに弾性力が蓄積された状態を表す。
【図３】図１の３−３線に沿って見た断面図である。
【図４】従来のロールスクリーン用スプリング装置を表す説明図であり、（ａ）はコイルスプリングに弾性力が蓄積されていない状態を表し、（ｂ）はコイルスプリングに弾性力が蓄積された状態を表す。
【符号の説明】
１０  ロールスクリーン
１４  巻取パイプ
１６  スクリーン
２０  ロールスクリーン用スプリング装置
２２  固定端
２４  心軸
２８  移動環（回転端）
３０  コイルスプリング
【図１】
0003795177.tif 000002
【図２】
0003795177.tif 000003
【図３】
0003795177.tif 000004
【図４】
0003795177.tif 000005